(57)【要約】【課題】歯列矯正治療において歯列矯正用のブラケットを装着する位置を決めるために必要な長さの測定及びブラケットの所定位置を位置させる部位にマーキングをすることが簡便にできるノギス型ブラケットポジショニングマーカーを提供する。【解決手段】歯列矯正用のブラケットの位置決めの際の測定及びマーキングをするためのノギス型ブラケットポジショニングマーカーであって、本尺１に対してスライド自在のスライダ２に、スライダ２の位置を固定するためのスライダ固定部2b及び本尺側ジョウ1aの測定面1aaとスライダ側ジョウ2aの測定面2aaとの間隔を表示するデジタル表示部３を設けると共に、本尺側ジョウ1aに、マーカー芯４をその軸芯方向が本尺側ジョウ1aの測定面1aaと平行で且つその先端が本尺側ジョウ1aの測定面1aaの略延長線上に位置するように本尺側ジョウ1aの先端部に保持・固定させるマーカー芯保持固定部５を設けて構成させる。【選択図】図１
2010099246.tif 000002
【特許請求の範囲】
【請求項１】
歯列矯正用のブラケットを装着する位置を決めるために必要な長さの測定及びブラケットの所定位置を位置させる部位にマーキングをするためのノギス型ブラケットポジショニングマーカーであって、
本尺(１)に対してスライド自在のスライダ(２)に、該スライダ(２)の位置を固定するためのスライダ固定部(2b)及び本尺側ジョウ(1a)の測定面(1aa)とスライダ側ジョウ(2a)の測定面(2aa)との間隔を表示するデジタル表示部(３)が設けられていると共に、本尺側ジョウ(1a)に、マーカー芯(４)をその軸芯方向が該本尺側ジョウ(1a)の測定面(1aa)と平行で且つその先端が該本尺側ジョウ(1a)の測定面(1aa)の略延長線上に位置するように該本尺側ジョウ(1a)の先端部に保持・固定させるマーカー芯保持固定部(５)が設けられていることを特徴とするノギス型ブラケットポジショニングマーカー。
【請求項２】
マーカー芯保持固定部(５)に保持されるマーカー芯(４)の後端側をマーカー芯保持固定部(５)から突出した状態に露出させるための空間(６)が本尺側ジョウ(1a)の後端側に設けられている請求項１に記載のノギス型ブラケットポジショニングマーカー。
【発明の詳細な説明】
【技術分野】
【０００１】
本発明は、歯列矯正治療において歯列矯正用のブラケットを装着する位置を決めるために必要な長さの測定及びブラケットの所定位置を位置させる部位にマーキングをするためのノギス型ブラケットポジショニングマーカーに関する。
【背景技術】
【０００２】
歯列矯正を行いたい歯牙の歯面に歯列矯正用のブラケットを装着し、そのブラケットにワイヤーを通して歯列を矯正するいわゆるマルチブラケット法による歯列矯正治療が従来から盛んに行われている。このようなマルチブラケット法による歯列矯正治療では、長期に亘って徐々に歯列を整えていくため、各歯牙の動きを想像しながらブラケットの位置決め等を行うので熟練を要し、またその際にブラケットの装着位置が正確であることが非常に重要となる。
【０００３】
ブラケットの位置決め及び装着は、例えば各歯牙毎に歯牙の先端の切縁，咬頭頂から決められた長さに合わせてマーキングし、その後にそのマーキングに合わせてブラケットを装着していくことによって行う方法（以下、前者の方法という）や、第一大臼歯の頬側面の歯肉から歯牙先端（咬頭頂）までの高さを測り、その中央部を第一大臼歯のブラケットの中心の取り付け位置とすると共に、この第一大臼歯のブラケットの中心の取り付け位置からその辺縁稜線までの距離を求めて定数とし、残りの各歯牙についてもそれぞれの辺縁稜線からこの定数だけ離れた位置にマーキングをして順次ブラケットを装着していくことによって行う方法（以下、後者の方法という）などがある。これらの方法は通常患者の口腔内形状を採得した印象に基づいて製作した石膏模型上において行い、この石膏模型上に位置決め及び装着したブラケットをその位置関係を維持した状態で石膏模型から取り外して患者の天然歯の表面に移して接着するという方法が行われているが、患者の天然歯上で直接行われることもある。
【０００４】
これらの方法では、歯表面の非常に短い長さを測定具で測定しながら、マーキング具によってマーキングしていかなければならないため、非常に誤差が生じ易すく、ブラケットの位置決めを正確に行うことが難しい。
【０００５】
このように個々の測定具とマーキング具とを使用すると正確な位置決めが難しいという問題に対して、角度目盛りを有する中空の本体と、角度目盛りとハイト目盛りとを有し前記本体と同軸に回動可能な回動体と、この回動体に基端を取り付け、他端を測定する歯の先端である切端や咬合面に当接させる歯冠ロッドと、同回動体に基端を取り付けた支持アームと、同歯冠ロッドに直角に一端を取り付けられ、他端を前記支持アーム先端に取り付け支持され、前記測定する歯の歯軸に合わせることによってブラケットの傾斜角度を測定可能な歯軸ロッドと、同歯の前面に水平に当接測定させるためのブラケットロッドと、このブラケットロッドに装着して歯の測定位置にマークするマーカーと、前記ブラケットロッドを上下に移動させてブラケットの高さを測定するハイト調整ノブとを備えた歯科矯正用ブラケット位置測定具がある（例えば、特許文献１参照。）。
【０００６】
この歯科矯正用ブラケット位置測定具は測定部とマーカーとが一体となっているので使い勝手が良く誤差が生じ難い。しかしながら、この歯科矯正用ブラケット位置測定具では、基準となる歯冠ロッドを歯の先端である切端や咬合面に当接させ、またマーカーが装着されたブラケットロッドを歯の前面に水平に当接させて位置決めを行うため、前記した後者の方法のように辺縁稜線から固定位置までの距離を測ってマーキングするなどの作業はできない。そのためこの歯科矯正用ブラケット位置測定具はその使用が非常に限定されるという問題がある。
【０００７】
【特許文献１】特開平６−１８１９４０号公報
【発明の開示】
【発明が解決しようとする課題】
【０００８】
本発明は前記の問題に鑑み、歯列矯正治療において歯列矯正用のブラケットを装着する位置を決めるために必要な長さの測定及びブラケットの所定位置を位置させる部位にマーキングをすることが高い精度で簡便にできるノギス型ブラケットポジショニングマーカーを提供することを課題とする。
【課題を解決するための手段】
【０００９】
本発明者は前記課題を解決すべく鋭意検討した結果、歯列矯正用のブラケットを装着する位置を決めるために必要な長さの測定及びブラケットの所定位置を位置させる部位にマーキングをするためのブラケットポジショニングマーカーをノギス型にし、本尺に対してスライド自在のスライダに、スライダの位置を固定するためのスライダ固定部及び本尺側ジョウの測定面とスライダ側ジョウの測定面との間隔を表示するデジタル表示部を設けると共に、本尺側ジョウに、マーカー芯をその軸芯方向が本尺側ジョウの測定面と平行で且つその先端が本尺側ジョウの測定面の略延長線上に位置するように本尺側ジョウの先端部に保持・固定させるマーカー芯保持固定部を設ければ、ノギス型にすることによって、非常に高い精度での測定が可能となると共に、ジョウ間で挟んで測定したり、各ジョウの先端部を当接させて測定したりすることができるので、形状が複雑な歯牙を容易に測定することができ、またデジタル表示部が設けられているので非常に小さな数値まで容易に読み取ることができるので使い勝手がよく、更に測定部にマーカー芯が一体にとなっているのでマーキングの位置に誤差が生じ難く、またマーカー芯はマーカー芯保持固定部によって本尺側ジョウの測定面と平行で且つその先端が本尺側ジョウの測定面の略延長線上に位置するように保持・固定されるので、デジタル表示部に表示されるジョウ間の距離で正確にマーキングができることを究明して本発明を完成したのである。
【００１０】
即ち、本発明は歯列矯正用のブラケットを装着する位置を決めるために必要な長さの測定及びブラケットの所定位置を位置させる部位にマーキングをするためのノギス型ブラケットポジショニングマーカーであって、本尺に対してスライド自在のスライダに、スライダの位置を固定するためのスライダ固定部及び本尺側ジョウの測定面とスライダ側ジョウの測定面との間隔を表示するデジタル表示部が設けられていると共に、本尺側ジョウに、マーカー芯をその軸芯方向が本尺側ジョウの測定面と平行で且つその先端が本尺側ジョウの測定面の略延長線上に位置するように本尺側ジョウの先端部に保持・固定させるマーカー芯保持固定部が設けられていることを特徴とするノギス型ブラケットポジショニングマーカーである。
【００１１】
また、マーカー芯保持固定部に保持固定されるマーカー芯の後端側をマーカー芯保持固定部から突出した状態に露出させるための空間を本尺側ジョウの後端側に設ければ、本尺側ジョウの先端側から突出したマーカー芯の突出長さを短くする場合には、先端側からマーカー芯を押し込んでその空間にマーカー芯の後端側を位置させることができるので容易に突出長さを短くすることができると共に、マーカー芯の突出長さを長くする場合には露出させた空間側からマーカー芯の後端側を押し出すだけで容易に調節ができるので、曲面をなす歯牙の表面に対してマーカー芯の突出長さを容易に変更することができ正確な測定及びマーキングができて好ましいのである。
【発明の効果】
【００１２】
本発明に係るノギス型ブラケットポジショニングマーカーは、歯列矯正用のブラケットを装着する位置を決めるために必要な長さの測定及びブラケットの所定位置を位置させる部位にマーキングをするためのノギス型ブラケットポジショニングマーカーであって、本尺に対してスライド自在のスライダに、スライダの位置を固定するためのスライダ固定部及び本尺側ジョウの測定面とスライダ側ジョウの測定面との間隔を表示するデジタル表示部が設けられていると共に、本尺側ジョウに、マーカー芯をその軸芯方向が本尺側ジョウの測定面と平行で且つその先端が本尺側ジョウの測定面の略延長線上に位置するように本尺側ジョウの先端部に保持・固定させるマーカー芯保持固定部が設けられているから、ノギス型にすることによって、非常に高い精度での測定が可能となると共に、ジョウ間で挟んで測定したり、各ジョウの先端部を当接させて測定したりすることができるので、形状が複雑な歯牙を容易に測定することができ、またデジタル表示部が設けられているので非常に小さな数値まで容易に読み取ることができるので使い勝手がよく、更に測定部にマーカーが一体にとなっているのでマーキングの位置に誤差が生じ難く、またマーカー芯はマーカー芯保持固定部によって本尺側ジョウの測定面と平行で且つその先端が本尺側ジョウの測定面の略延長線上に位置するように保持・固定されるので、デジタル表示部に表示されるジョウ間の距離で正確にマーキングができるのである。
【００１３】
また、マーカー芯保持固定部に保持固定されるマーカー芯の後端側をマーカー芯保持固定部から突出した状態に露出させるための空間が本尺側ジョウの後端側に設けられている態様では、本尺側ジョウの先端側から突出したマーカー芯の突出長さを短くする場合には、先端側からマーカー芯を押し込んでその空間にマーカー芯の後端側を位置させることができるので容易に突出長さを短くすることができると共に、マーカー芯の突出長さを長くする場合には露出させた空間側からマーカー芯の後端側を押し出すだけで容易に調節ができるので、曲面をなす歯牙の表面に対してマーカー芯の突出長さを容易に変更することができ正確な測定及びマーキングができて好ましいのである。
【発明を実施するための最良の形態】
【００１４】
以下、図面を用いて本発明に係るノギス型ブラケットポジショニングマーカーについて詳細に説明する。
図１は本発明に係るノギス型ブラケットポジショニングマーカーの一実施例を示す正面図、図２は図１のノギス型ブラケットポジショニングマーカーの斜視図、図３は図２の先端部の部分拡大図である。
【００１５】
図面中、１は本尺であり、２はこの本尺１に対してスライド自在のスライダである。このスライダ２にはスライダ２の位置を固定するためのスライダ固定部2bと後述するデジタル表示部３が設けられている。またスライダ固定部2bとしては、例えば図１及び図２の如く、スライダ２に形成されたねじ穴を通して本尺１に強く圧接されるようなねじなど利用できる。
【００１６】
３は本尺側ジョウ1aの測定面1aaとスライダ側ジョウ2aの測定面2aaとの間隔を表示するデジタル表示部であり、本発明に係るノギス型ブラケットポジショニングマーカーではこのデジタル表示部３によって、非常に小さな数値まで容易に読み取ることができるので使い勝手がよいのである。
【００１７】
４はマーカー芯であり、例えば鉛筆の芯などが好ましく利用できるが、歯列矯正を行う患者の歯列石膏模型や天然歯のエナメル質の歯面に傷を付けずにマーキングできるものであれば特に限定はない。
【００１８】
５はマーカー芯４をその軸芯方向が本尺側ジョウ1aの測定面1aaと平行で且つその先端が本尺側ジョウ1aの測定面1aaの略延長線上に位置するように本尺側ジョウ1aの先端部に保持・固定させるマーカー芯保持固定部である。このマーカー芯保持固定部５によって、マーカー芯４はその先端が本尺側ジョウ1aの測定面1aaの略延長線上に位置するように本保持・固定されるので、デジタル表示部３に表示されるジョウ間の距離で正確にマーキングすることができ、またこのマーカー芯保持固定部５によってマーカー芯４はその軸芯方向が本尺側ジョウ1aの測定面1aaと平行となるように保持・固定されるので、マーカー芯４の突出長さを調節しても、マーカー芯４の先端を常に本尺側ジョウ1aの測定面1aaの略延長線上に位置させることができるのである。またこのマーカー芯保持固定部５としては、例えばマーカー芯４を本尺側ジョウ1aの測定面1aa側に圧接固定するためのねじが設けられている態様が好ましい。
【００１９】
６はマーカー芯保持固定部５に保持されるマーカー芯４の後端側をマーカー芯保持固定部５から突出した状態に露出させるための空間であり、この空間６を設けることによって、本尺側ジョウ1aの先端側から突出したマーカー芯４の突出長さを短くする場合には、先端側からマーカー芯４をマーカー芯保持固定部５に押し込んでその空間６にマーカー芯４の後端側を位置させることができるので容易に突出長さを短くすることができると共に、マーカー芯４の突出長さを長くする場合には露出させた空間６側からマーカー芯４の後端側を押し出すだけで調節ができるので、曲面をなす歯牙の表面に対応してマーカー芯４の突出長さを容易に変更することができ正確な測定及びマーキングができるのである。
【００２０】
本発明に係るノギス型ブラケットポジショニングマーカーとしては、例えば図１〜３の如きものがある。このノギス型ブラケットポジショニングマーカーでは、スライダ２の大部分を覆うようなデジタル表示部３が設けられていてジョウ1a，2a間の距離を正確に読み取れるようになっている。
【００２１】
そして図３の如く、マーカー芯４を本尺側ジョウ1aの測定面1aaと平行で且つその先端が本尺側ジョウ1aの測定面1aaの略延長線上に位置するようにするために、本尺側ジョウ1aの測定面1aa側を尖らせたマーカー芯４が使用されていて、更にマーカー芯４が保持・固定されるマーカー芯保持固定部５の穴部が本尺側ジョウ1aの測定面1aa側に寄った位置に形成されている。即ち、マーカー芯保持固定部５が形成されている本尺側ジョウ1aの測定面1aaはマーカー芯４の一部が露出するような切り溝が形成されているのである。また図１〜３の態様では、マーカー芯保持固定部５の本尺側ジョウ1aの測定面1aaと反対側に、マーカー芯４を本尺側ジョウ1aの測定面1aa側に圧接固定するためのねじが設けられている。
【００２２】
このようなノギス型ブラケットポジショニングマーカーを実際に使用するには、例えば前記した前者の方法では、始めに各歯牙毎に決められた長さとなるように、本尺１に対してスライダ２をスライドさせ、スライダ固定部2bによってスライダ２を固定する。次に、スライダ側ジョウ2aの先端を石膏模型上の目的とする歯牙の先端に当接させ、そして本尺側ジョウ1aの先端部に設けられたマーカー芯保持固定部５に固定されたマーカー芯４によって各歯牙毎に順次マーキングを行うことになる。
【００２３】
また前記した後者の方法では、本尺側ジョウ1aの先端とスライダ側ジョウ2aの先端とのいずれか一方の先端を石膏模型上の第一大臼歯の先端（咬頭頂）に当接させ、他方の先端を石膏模型上の第一大臼歯の頬側面の歯と歯肉との境界部に相当する部位に当接させて、デジタル表示部３によって第一大臼歯の高さを読み取り、読み取った第一大臼歯の高さの１／２の長さとなるようにスライダ２をスライドさせ、スライダ固定部2bによってスライダ２を固定する。そして、スライダ側ジョウ2aの先端を石膏模型上の第一大臼歯の先端に当接させ、本尺側ジョウ1aのマーカー芯保持固定部５に固定されたマーカー芯４によって石膏模型上の第一大臼歯の頬側面上にマーキングを行うのである。
【００２４】
次に本尺側ジョウ1aの先端とスライダ側ジョウ2aの先端とをそれぞれ石膏模型上の第一大臼歯の辺縁稜線とマーキングした位置に当接させてその距離を測り、その距離が保たれるようにスライダ固定部2bによってスライダ２を固定する。この状態で第一大臼歯以外の残りの歯牙についてその辺縁稜線にスライダ側ジョウ2aの先端を当接させ、本尺側ジョウ1aのマーカー芯保持固定部５に保持固定されたマーカー芯４によって石膏模型上の歯牙の頬側面上に順次マーキングを行っていけばよいのである。
【００２５】
かくして各歯牙の頬側面上へのマーキングが完了すると、例えばマーキングした位置に歯列矯正用のブラケットをその中心がくるように配置して仮装着し、特定のシステムを用いて各ブラケットをその位置関係を維持した状態で石膏模型から取り外して患者の天然歯の表面に移して接着した後に、各ブラケットにワイヤーを通して歯列を矯正する歯列矯正治療を行えばよいのである。
【図面の簡単な説明】
【００２６】
【図１】本発明に係るノギス型ブラケットポジショニングマーカーの一実施例を示す正面図である。
【図２】図１のノギス型ブラケットポジショニングマーカーの斜視図である。
【図３】図２の先端部の部分拡大図である。
【符号の説明】
【００２７】
１  本尺
1a  本尺側ジョウ
1aa  測定面
２  スライダ
2a  スライダ側ジョウ
2aa  測定面
2b  スライダ固定部
３  デジタル表示部
４  マーカー芯
５  マーカー芯保持固定部
６  空間
【図１】
2010099246.tif 000003
【図２】
2010099246.tif 000004
【図３】
2010099246.tif 000005